(57)【要約】【課題】簡便に実験動物飼育ケージを運搬することができ、かつ実験動物の逸走を防止することのできる実験動物飼育ケージ運搬装置を提供する。【解決手段】実験動物飼育ケージ運搬装置１００は、実験動物飼育ケージ用の運搬装置であって、支持部１２０と、支持部１２０に接続された少なくとも４本の支柱１１０と、少なくとも４本の支柱１１０の上端と下端との間に取り付けられた第一のストッパー部１３０と、少なくとも４本の支柱１１０の上端部近傍に取り付けられた短辺部材１５０と、短辺部材１５０に取り付けられた第二のストッパー部１６０と、を備える。支持部１２０は、実験動物飼育ケージの底面を固定し、第一のストッパー部１３０は、実験動物飼育ケージの側面を固定し、第二のストッパー部１６０は、実験動物飼育ケージの上面を固定する。【選択図】図１
2013252101.tif 000002
【特許請求の範囲】
【請求項１】
実験動物飼育ケージ用の運搬装置であって、
支持部と、
前記支持部に接続された少なくとも４本の支柱と、
前記少なくとも４本の支柱の上端と下端との間に取り付けられた第一のストッパー部と、
前記少なくとも４本の支柱の上端部近傍に取り付けられた短辺部材と、
前記短辺部材に取り付けられた第二のストッパー部と、
を備え、
前記支持部は、前記実験動物飼育ケージの底面を固定し、
前記第一のストッパー部は、前記実験動物飼育ケージの側面を固定し、
前記第二のストッパー部は、前記実験動物飼育ケージの上面を固定する、
ことを特徴とする実験動物飼育ケージ運搬装置。
【請求項２】
前記支柱の底部は、ベース部材を備え、
前記支柱の上端部は、前記ベース部材に嵌合可能な孔を備え、
複数の実験動物飼育ケージ運搬装置が積層可能である、
ことを特徴とする請求項１に記載の実験動物飼育ケージ運搬装置。
【請求項３】
前記第二のストッパー部は、前記第二のストッパー部を軸として回転可能に取り付けられた持ち手部材と、前記持ち手部材のずれ防止のための突起と、をさらに備える、
ことを特徴とする請求項１又は２に記載の実験動物飼育ケージ運搬装置。
【請求項４】
前記第二のストッパー部は、前記短辺部材から取り外し可能である、
ことを特徴とする請求項１乃至３のいずれか１項に記載の実験動物飼育ケージ運搬装置。
【請求項５】
前記短辺部材に、前記第二のストッパー部を固定するためのクリップ部材をさらに備える、
ことを特徴とする請求項１乃至４のいずれか１項に記載の実験動物飼育ケージ運搬装置。
【発明の詳細な説明】
【技術分野】
【０００１】
本発明は、実験動物飼育ケージ運搬装置に関する。
【背景技術】
【０００２】
遺伝子組み換えを施した実験動物を運搬する際には、実験動物が逸走することのないように、細心の注意を払う必要がある。遺伝子組み換えを施した実験動物が逸走して野外に放たれてしまうと、生物多様性に影響を及ぼす危険性があるためである。このことは、「研究開発等に係る遺伝子組換え生物等の第二種使用等に当たって執るべき拡散防止措置を定める省令」第七条第一号に、「遺伝子組換え生物等が漏出、逃亡その他拡散しない構造の容器に入れ」と規定されている通りである。
【０００３】
このような実験動物を、逸走防止措置として“ねずみ返し”を設置した飼育室から、同様の措置がなされた実験室に運搬する際には、実験動物飼育ケージの蓋を手でしっかりと押さえ、落とさないようにして運ぶことで、実験動物が逸走することのないようにされてきた。しかしながら、運搬者が転倒したり手元が狂うことによって実験動物飼育ケージを落としてしまう可能性があるため、運搬時の実験動物の逸走の懸念を払拭しきれてはいなかった。また、輸送中に実験動物が逸走したと報道される事例が後を絶たず、問題視されてきた。  
【０００４】
そこで、運搬時の実験動物の逸走を防止するための手段が報告されてきた。
【０００５】
特許文献１には、実験動物の収容部と蓋部とを堅固に連結させることのできる、実験動物の運搬用容器が記載されている。
【先行技術文献】
【特許文献】
【０００６】
【特許文献１】特開２００６−０８２８７６号公報
【発明の概要】
【発明が解決しようとする課題】
【０００７】
しかしながら、特許文献１に記載の運搬用容器では、実験動物を運搬する際に、飼育用ケージから該運搬用容器に一旦実験動物を移し替える必要があり、手間がかかるという課題を有していた。また、飼育用ケージから該運搬用容器に実験動物を移し替える際に、実験動物が逸走する可能性を有するという点で課題を残していた。
【０００８】
本発明は、上記事情に鑑みてなされたものであり、簡便に実験動物飼育ケージを運搬することができ、かつ実験動物の逸走を防止することのできる実験動物飼育ケージ運搬装置を提供することを目的とする。
【課題を解決するための手段】
【０００９】
上記目的を達成するため、本発明に係る実験動物飼育ケージ運搬装置は、  
実験動物飼育ケージ用の運搬装置であって、
支持部と、
前記支持部に接続された少なくとも４本の支柱と、
前記少なくとも４本の支柱の上端と下端との間に取り付けられた第一のストッパー部と、
前記少なくとも４本の支柱の上端部近傍に取り付けられた短辺部材と、
前記短辺部材に取り付けられた第二のストッパー部と、
を備え、
前記支持部は、前記実験動物飼育ケージの底面を固定し、
前記第一のストッパー部は、前記実験動物飼育ケージの側面を固定し、
前記第二のストッパー部は、前記実験動物飼育ケージの上面を固定する、
ことを特徴とする。
【００１０】
前記支柱の底部は、ベース部材を備え、
前記支柱の上端部は、前記ベース部材に嵌合可能な孔を備え、
複数の実験動物飼育ケージ運搬装置が積層可能であってもよい。
【００１１】
前記第二のストッパー部は、前記第二のストッパー部を軸として回転可能に取り付けられた持ち手部材と、前記持ち手部材のずれ防止のための突起と、をさらに備えてもよい。
【００１２】
前記第二のストッパー部は、前記短辺部材から取り外し可能であってもよい。
【００１３】
前記短辺部材に、前記第二のストッパー部を固定するためのクリップ部材をさらに備えてもよい。
【発明の効果】
【００１４】
本発明によれば、簡便に実験動物飼育ケージを運搬することができ、かつ実験動物の逸走を防止することのできる実験動物飼育ケージ運搬装置を提供することができる。
【図面の簡単な説明】
【００１５】
【図１】本発明の一実施形態である実験動物飼育ケージ運搬装置を模式的に示す斜視図である。
【図２】本発明の一実施形態である実験動物飼育ケージ運搬装置を模式的に示す側面図である。
【図３】短辺部材から着脱機構を外した状態の実験動物飼育ケージ運搬装置を模式的に示す側面図である。
【図４】（ａ）は、固定機構を模式的に示す斜視図であり、（ｂ）は、固定機構を模式的に示す底面図である。
【図５】（ａ）は、着脱機構を模式的に示す斜視図であり、（ｂ）は、着脱機構を模式的に示す底面図である。
【図６】着脱機構を模式的に示す側面図である。（ａ）は、フランジ部材と着脱部材とが重なり合っている状態であり、（ｂ）は、着脱部材の切り欠き部分が開放されている状態である。
【図７】本発明の一実施形態である実験動物飼育ケージ運搬装置に実験動物飼育ケージを収容した状態を模式的に示す側面図である。
【図８】本発明の一実施形態である実験動物飼育ケージ運搬装置に実験動物飼育ケージを収容した状態を模式的に示す側面図である。
【図９】本発明の一実施形態である実験動物飼育ケージ運搬装置に実験動物飼育ケージを収容した状態を模式的に示す底面図である。
【図１０】本発明の他の実施形態である実験動物飼育ケージ運搬装置を模式的に示す斜視図である。
【図１１】支柱の底部に備えられたベース部材を模式的に示す斜視図である。
【図１２】複数の実験動物飼育ケージ運搬装置を積層させた状態を模式的に示す側面図である。
【図１３】持ち手部材を模式的に示す側面図である。（ａ）は、第二のストッパー部に取り付けられた持ち手部材であり、（ｂ）は、第二のストッパー部を軸として回転した状態の持ち手部材である。
【図１４】持ち手部材を備える複数の実験動物飼育ケージ運搬装置を積層させた状態を模式的に示す側面図である。
【図１５】曲線状の切り欠き部を有する固定機構を模式的に示す斜視図である。
【図１６】（ａ）は、クリップ部材を模式的に示す正面図であり、（ｂ）は、クリップ部材を模式的に示す側面図であり、（ｃ）は、クリップ部材により短辺部材に第二のストッパー部を固定させた状態を模式的に示す斜視図である。
【図１７】支柱に連結された第一のストッパー部の部材の両端部近傍に、他の第一のストッパー部の部材が連結されている状態を模式的に示す上面図である。
【発明を実施するための形態】
【００１６】
以下、本発明の実施形態に係る実験動物飼育ケージ運搬装置１００を、図面を参照して説明する。
【００１７】
本明細書において、実験動物飼育ケージの各面（底面、側面、及び上面）が「固定」される、とは、実験動物飼育ケージの各面が実験動物飼育ケージ運搬装置１００の各ストッパー部（第一のストッパー部１３０及び第二のストッパー部１６０）及び支持部１２０に完全に固定される形態だけでなく、実験動物飼育ケージの各面と実験動物飼育ケージ運搬装置１００の各ストッパー部及び支持部１２０との間にわずかな隙間があるために実験動物飼育ケージが実験動物飼育ケージ運搬装置１００の内部でわずかに動きつつも、実験動物飼育ケージ運搬装置１００内に実験動物飼育ケージが安定的に保持される形態をも含むものとする。
【００１８】
図１に示すように、本発明の実施形態に係る実験動物飼育ケージ運搬装置１００は、支持部１２０と、支柱１１０と、第一のストッパー部１３０（１３０ａ、１３０ｂ、１３０ｃ及び１３０ｄ）と、短辺部材１５０と、第二のストッパー部１６０と、を備える。
【００１９】
支持部１２０は、図１に示すように、直方体状の部材で形成された、実験動物飼育ケージ運搬装置１００の長辺方向に沿った１対の枠体１２２を有する。支持部１２０は、後述するように、実験動物飼育ケージの底面を固定する役割を有する。なお、支持部１２０は、円柱状等の部材で形成されてもよい。
【００２０】
支柱１１０は、くの字状の部材からなり、図１に示すように、実験動物飼育ケージ運搬装置１００に４本備えられ、支柱１１０の下端部近傍は、支持部１２０に接続される。支柱１１０の高さは、収容する実験動物飼育ケージの高さに鑑みて設定され、実験動物飼育ケージの高さよりも若干高く設定される。なお、支柱１１０は、直方体状や円柱状等の部材の部材で形成されていてもよい。
【００２１】
第一のストッパー部１３０は、円柱状の部材からなり、図１及び図２に示すように、４本の支柱１１０の上端と下端との間（図１及び図２においては、支柱１１０の略中央部）に取り付けられる。第一のストッパー部１３０は、１３０ａ、１３０ｂ、１３０ｃ及び１３０ｄの４本の部材で構成される（図１）。第一のストッパー部１３０は、後述するように、実験動物飼育ケージの側面を固定する役割を有する。なお、第一のストッパー部１３０は、直方体状等の部材で形成されていてもよい。
【００２２】
短辺部材１５０は、円柱状の部材からなり、図１に示すように、支柱１１０の上端部近傍に取り付けられる。１対の短辺部材１５０が、実験動物飼育ケージ運搬装置１００の長辺方向に対向して設けられる。なお、短辺部材１５０の中央部分には、短辺部材１５０の他の部分の外径よりも若干大きい外径を有する装着部１５０ａが備えられ、装着部１５０ａに、第二のストッパー部１６０の着脱機構１６２又は固定機構１６８（後述）が装着される（図１）。短辺部材１５０は、実験動物飼育ケージ運搬装置１００の機械的強度を高めるために、及び後述するように第二のストッパー部１６０を取り付けるために備えられる。  
【００２３】
第二のストッパー部１６０は、円柱状の部材からなり、図１に示すように、短辺部材１５０の略中央部分に取り付けられる。第二のストッパー部１６０は、その一端に、固定機構１６８を、他端に、着脱機構１６２を備える。第二のストッパー部１６０は、固定機構１６８（図４（ａ））を介して一方の短辺部材１５０の略中央部分に、着脱機構１６２（図５（ａ））を介して他方の短辺部材１５０の略中央部分に取り付けられる。第二のストッパー部１６０は、後述するように、実験動物飼育ケージの上面を固定する役割を有する。
【００２４】
第二のストッパー部１６０の一端は、固定機構１６８（図４（ａ））を介して、短辺部材１５０に回転可能に取り付けられる。固定機構１６８は、図４（ａ）に示すように、フランジ１６８ａを有するコの字の形状をなし、各々のフランジ１６８ａには丸孔１６９が備えられる。丸孔１６９に、短辺部材１５０が嵌め込まれるが、丸孔１６９の内径は、丸孔１６９に短辺部材１５０を回転可能に嵌め込むことができる程度に、短辺部材１５０の外径よりも若干大きい。このため、固定機構１６８は、短辺部材１５０を軸として回転することができる（図３）。この固定機構１６８の回転に伴い、後述するように第二のストッパー部１６０の他端に備えられた着脱機構１６２が短辺部材１５０から外されている時には、固定機構１６８に連結された第二のストッパー部１６０が、短辺部材１５０を軸として回転することができる（図３）。なお、固定機構１６８の内側の幅は、短辺部材１５０の装着部１５０ａの幅よりも若干広く設定される（図４（ｂ））。こうすることで、固定機構１６８の丸孔１６９は、装着部１５０ａを左右から挟む込むことができ、固定機構１６８が装着部１５０ａの位置から左右にずれることが回避される。その結果、固定機構１６８は、短辺部材１５０の略中央部分からずれることなく、短辺部材１５０の略中央部分での回転が可能となる。
【００２５】
第二のストッパー部１６０の他端は、着脱機構１６２（図５（ａ）及び図６）を介して、短辺部材１５０に着脱可能に取り付けられる。着脱機構１６２は、図５（ａ）及び図６に示すように、フランジ部材１６３と、着脱部材１６５と、を備える。フランジ部材１６３は、フランジ１６３ａを備え、フランジ部材１６３の側面は、短辺部材１５０の外径にフィットする曲線状の切り欠き部分１６３ｂを有する。着脱部材１６５は、略コの字の形状をなし、着脱部材１６５の下部は、短辺部材１５０の外径にフィットする曲線状の切り欠き部分１６５ａを有する。フランジ部材１６３と、着脱部材１６５と、は、留め具１６４を介して連結されおり、着脱部材１６５の内部に備えられたばね（図示せず）により、フランジ部材１６３は、着脱部材１６５と重なり合うように付勢されている（図６（ａ））。フランジ部材１６３と着脱部材１６５とが重なり合っている状態では、フランジ部材１６３の切り欠き部分１６３ｂと、着脱部材１６５の切り欠き部分１６５ａと、の隙間に、短辺部材１５０を嵌め込むことができるようになっている（図５（ａ）及び図６（ａ））。フランジ部材１６３のフランジ１６３ａを第二のストッパー部１６０の方向に倒すと、着脱部材１６５の切り欠き部分１６５ａが開放され（図６（ｂ））、着脱部材１６５から短辺部材１５０を取り外すことができるようになる。第二のストッパー部１６０は、このような着脱機構１６２を備えることで、短辺部材１５０の略中央部分に着脱可能に取り付けられる。なお、着脱機構１６２の着脱部材１６５の内側の幅は、短辺部材１５０の装着部１５０ａの幅よりも若干広く設定される（図５（ｂ））。こうすることで、着脱部材１６５の切り欠き部分１６５ａは、装着部１５０ａを左右から挟む込むことができ、着脱部材１６５が装着部１５０ａの位置から左右にずれることが回避される。その結果、着脱機構１６２は、短辺部材１５０の略中央部分からずれることなく、短辺部材１５０の略中央部分での着脱が可能となる。
【００２６】
実験動物飼育ケージ運搬装置１００には、図７〜図９に示すように、実験動物飼育ケージ２１０が収容される。実験動物飼育ケージ２１０は、蓋２１２と、本体２１４と、からなる。
【００２７】
実験動物飼育ケージ運搬装置１００への実験動物飼育ケージ２１０の収容については、第二のストッパー部１６０の着脱機構１６２を短辺部材１５０から外した状態（図３）で、実験動物飼育ケージ２１０を支持部１２０の上に載せ、着脱機構１６２のフランジ部材１６３のフランジ１６３ａを第二のストッパー部１６０の方向に倒しつつ、着脱部材１６５の切り欠き部分１６５ａに短辺部材１５０を嵌め込み、フランジ１６３ａを元に戻すことで、簡便に行うことができる。
【００２８】
図７及び図８に示すように、第一のストッパー部１３０は、実験動物飼育ケージの側面を固定する役割を有する。第一のストッパー部１３０が備えられることで、実験動物飼育ケージ運搬装置１００に実験動物飼育ケージ２１０を収容して運搬する際に、実験動物飼育ケージ２１０が実験動物飼育ケージ運搬装置１００の側面から落下することを防止できる。
【００２９】
図７に示すように、第二のストッパー部１６０は、実験動物飼育ケージの上面を固定する役割を有する。第二のストッパー部１６０が備えられることで、実験動物飼育ケージ運搬装置１００に実験動物飼育ケージ２１０を収容して運搬する際に、実験動物飼育ケージ２１０の蓋２１２がはずれるのを防止することができ、その結果、運搬中の実験動物の逸走を確実に防止することができる。
また、第二のストッパー部１６０には、着脱機構１６２が片方のみに設けられているため、着脱機構１６２が両方に設けられている場合よりも、運搬中に第二のストッパー部１６０が外れる危険性がより低減される。したがって、運搬中の実験動物の逸走を確実に防止することができる。
さらに、第二のストッパー部１６０の固定機構１６８及び着脱部材１６５については、短辺部材１５０に装着部１５０ａが備えられることから、装着部１５０ａの位置からの左右のずれが防止される。その結果、運搬中に、第二のストッパー部１６０が、実験動物飼育ケージ運搬装置１００の短辺方向にずれることが回避される。
【００３０】
図７〜図９に示すように、支持部１２０の枠体１２２は、実験動物飼育ケージの底面を固定する役割を有する。枠体１２２は、実験動物飼育ケージ２１０の底面を支持することによって、実験動物飼育ケージ２１０の実験動物飼育ケージ運搬装置１００からの落下を防ぐことができる。なお、図７〜図９に示すように、実験動物飼育ケージ２１０が底部に突起部材２１６を備える場合、支持部１２０の枠体１２２の内側の部材が突起部材２１６に外側から各々当接するように枠体１２２を設計することで、枠体１２２は突起部材２１６を外側から動かないように固定できるようになる。その結果、実験動物飼育ケージ運搬装置１００に実験動物飼育ケージ２１０を収容して運搬する際、実験動物飼育ケージ運搬装置１００内の実験動物飼育ケージ２１０の短辺方向のずれを防止し、実験動物飼育ケージ２１０を安定的に保持できる。
【００３１】
本発明の実施形態に係る実験動物飼育ケージ運搬装置１００は、実験動物を飼育した状態のままで、簡便に手間をかけずに、実験動物飼育ケージごと運搬することができる。また、施設内における飼育室から実験室への運搬等のみならず、段ボールで包装することにより、施設間の輸送も可能である。また、本発明の実施形態に係る実験動物飼育ケージ運搬装置１００は、構成される部材の数が少ないため、軽量であり、故障や破損が少なくなるメリットをも有する。さらに、実験動物への病原菌等の感染を防ぐ観点から、実験動物を取り巻く環境を常に衛生的に維持する必要があるが、本発明の実施形態に係る実験動物飼育ケージ運搬装置１００は、構成される部材の数が少ないため、実験動物飼育ケージ運搬装置１００における病原菌等の汚染のリスクを低減させることができ、衛生的に実験動物飼育ケージを運搬することができる。
【００３２】
実験動物飼育ケージ運搬装置１００に備えられる上述の各部材の材質は、ステンレスである。このため、実験動物飼育ケージ運搬装置１００は、運搬時に落下した場合でも破損しない程度の強度を有する。また、実験動物飼育ケージ２１０を収容したままでオートクレーブによる滅菌処理が可能である。さらに、錆びることなく長期にわたって使用することができる。なお、各部材の材質については、落下しても破損しない程度の強度を有し、オートクレーブによる滅菌処理が可能な材質であれば、適宜選択され得る。
【００３３】
なお、この発明は上記実施の形態に限定されず、種々の変形及び応用が可能である。例えば、図１０及び図１１に示すように、支柱１１０の底部は四隅に耐熱性樹脂製のベース部材１８０を備え、支柱１１０の上端部は孔１８２を備えていてもよい。この場合、孔１８２は、ベース部材１８０に嵌合可能な形状をなす。
この場合、実験動物飼育ケージ運搬装置１００の支柱１１０の上端部の孔１８２に、他の実験動物飼育ケージ運搬装置１００の支柱１１０の底部のベース部材１８０を嵌め込むことで、図１２に示すように、複数の実験動物飼育ケージ運搬装置１００を積層させることが可能となる。この複数の実験動物飼育ケージ運搬装置１００の積み重ねは、例えば、５〜６段程度まで可能である。実験動物飼育ケージを収容した実験動物飼育ケージ運搬装置１００を積み重ねて、台車等を用いて運搬することができ、また、段ボールで包装することで施設間での輸送に用いることもできる。このように、複数の実験動物飼育ケージを、実験動物の逸走を確実に防止しつつ、一度に運搬することが可能となる。なお、ベース部材１８０の材質は、オートクレーブによる滅菌処理が可能な材質であれば適宜選択され得る。
【００３４】
また、図１３に示すように、第二のストッパー部１６０は、第二のストッパー部１６０の中央部近傍に第二のストッパー部１６０を軸として回転可能に取り付けられた持ち手部材１７０と、持ち手部材１７０のずれ防止のための２つの突起１６０ａと、をさらに備えていてもよい。具体的には、持ち手部材１７０は、その内側を第二のストッパー部１６０が貫通するように、筒状の形状をなし（この筒の内径は、第二のストッパー部１６０の外径よりも若干大きい）、第二のストッパー部１６０を軸として回転することができる。また、持ち手部材１７０は、第二のストッパー部１６０に備えられた２つの突起１６０ａに挟まれる。こうすることで、持ち手部材１７０は、第二のストッパー部１６０の略中央部分の位置において、左右にずれることなく、回転することができる。この際、持ち手部材１７０は第二のストッパー部１６０を軸として回転可能であるため、複数の実験動物飼育ケージ運搬装置１００を積層させた場合、図１４に示すように、持ち手部材１７０は実験動物飼育ケージ２１０の蓋２１２の上に接するように収容され、実験動物飼育ケージ運搬装置１００の積み重ねに干渉することはない。なお、持ち手部材１７０の両端は、各々、押さえ部１７０ａ（図１３）を備えていてもよい。押さえ部１７０ａを備えることで、持ち手部材１７０が突起１６０ａに当接する際のがたつきが抑えられるため、第二のストッパー部１６０の略中央部分の位置における左右のずれをより確実に回避できる。
持ち手部材１７０が備えられることで、実験動物飼育ケージ２１０を収容した実験動物飼育ケージ運搬装置１００を、手で持つだけで簡便に運搬することができる。また、前述のように、持ち手部材１７０は、第二のストッパー部１６０の略中央部分の位置において、左右にずれることがないため、実験動物飼育ケージ２１０を収容した実験動物飼育ケージ運搬装置１００を運搬する際、実験動物飼育ケージ運搬装置１００が傾くことを回避でき、実験動物飼育ケージ運搬装置１００内において実験動物飼育ケージ２１０を安定させることができる。その結果、運搬中の実験動物の逸走を確実に防止すると同時に、実験動物を安静状態に保つことができる。
【００３５】
また、本実施形態においては、図４（ａ）に示したように、丸孔１６９が備えられた固定機構１６８の形態について説明したが、図１５に示すように、固定機構１６８は、短辺部材１５０の外径にフィットした、曲線状の切り欠き部１６８ｂを有していてもよい。この切り欠き部１６８ｂには、短辺部材１５０を嵌め込むことができる。このような固定機構１６８を用いることで、第二のストッパー部１６０は、短辺部材１５０から取り外し可能となる。この場合、第二のストッパー部１６０を実験動物飼育ケージ運搬装置１００から完全に取り外すことができる。このため、飼育室又は実験室内で、実験動物飼育ケージ運搬装置１００に実験動物飼育ケージを収容したり取り出したりする際に、第二のストッパー部１６０を実験動物飼育ケージ運搬装置１００から取り外して別の場所に置くことができるため、よりコンパクトなスペースでの作業が可能となる。また、実験動物飼育ケージ運搬装置１００の上面において、実験動物飼育ケージを収容したり取り出したりする際に障害となる箇所が少なくなるため、収容したり取り出したりする行為が容易となる。なお、短辺部材１５０を取り外すことのできる形態の固定機構１６８であれば、適宜選択され得る。
この場合、２本の短辺部材１５０の装着部１５０ａの幅を２本ともほぼ同一とした上で、固定機構１６８の内側の幅と、着脱機構１６２の着脱部材１６５の内側の幅と、を、ほぼ等しく設定してもよい。こうすることで、２本の短辺部材１５０のいずれに対しても、固定機構１６８又は着脱機構１６２のいずれか一方を装着することができ、より簡便に実験動物飼育ケージを実験動物飼育ケージ運搬装置１００から出し入れすることができる。
【００３６】
また、図１６に示すように、実験動物飼育ケージ運搬装置１００は、短辺部材１５０に、第二のストッパー部１６０を固定するためのクリップ部材１９０をさらに備えていてもよい。クリップ部材１９０は、第二のストッパー部１６０を固定するための１対の曲線部分を有する部分（１９０ａ）と、着脱機構１６２を固定するための屈曲した形状を有する部分（１９０ｂ）と、を有する。クリップ部材１９０を用いることで、より強固に第二のストッパー部１６０を短辺部材１５０に固定することができるため、運搬時に実験動物飼育ケージの蓋がはずれるといった不都合をより確実に回避することができる。なお、短辺部材１５０に、第二のストッパー部１６０を固定できる形状のクリップ部材であれば、適宜選択され得る。また、クリップ部材１９０は、着脱機構１６２、短辺部材１５０等にあらかじめ連結されていてもよい。
【００３７】
また、本実施形態においては、図１及び図２に示したように、第一のストッパー部１３０のすべてが支柱１１０の略中央部に取り付けられている形態について説明したが、第一のストッパー部１３０は、支柱１１０の上端と下端との間に取り付けられていればよく、図１７に示すように、支柱１１０の略中央部に２本の第一のストッパー部１３０ｂ及び１３０ｄが連結され、その２本の第一のストッパー部１３０ｂ及び１３０ｄの両端部近傍に、他の２本の第一のストッパー部１３０ａ及び１３０ｃが連結されていてもよい。この場合、第一のストッパー部１３０ａと１３０ｃとの間の幅は、実験動物飼育ケージ２１０の本体２１４の長辺方向の幅に鑑みて設定され、本体２１４の幅よりも若干大きく設定される。こうすることで、第一のストッパー部１３０ａと１３０ｃとが実験動物飼育ケージ２１０の本体２１４を外側から挟み込むことができるため、実験動物飼育ケージ２１０を外側から動かないように固定することができる。その結果、実験動物飼育ケージ運搬装置１００に実験動物飼育ケージ２１０を収容して運搬する際、実験動物飼育ケージ運搬装置１００内の実験動物飼育ケージ２１０の長辺方向のずれをより確実に防止できる。
【００３８】
また、本実施形態においては、図５に示したように、第二のストッパー部１６０が着脱機構１６２に連結された形態について説明したが、第二のストッパー部１６０は、着脱機構１６２にネジを介して連結されることで、第二のストッパー部１６０から着脱機構１６２が取り外しできるようにしてもよい。こうすることで、着脱機構１６２が故障した場合に、着脱機構１６２のみを第二のストッパー部１６０から取り外して交換することができる。なお、固定機構１６８についても同様に、第二のストッパー部１６０から取り外しできるようにしてもよい。
【００３９】
また、支柱１１０と支持部１２０との連結部分（４点）を例えば可動ビスで連結させて可動式とし、支柱１１０の略中央部（４点）に例えば固定可能な蝶番を設けて支柱１１０が外側に屈曲できるようにし、長辺方向の２本の第一のストッパー部１３０ｂ及び１３０ｄ（図１）を支柱１１０に着脱可能に連結させることで、実験動物飼育ケージ運搬装置１００を折りたたみ可能となるようにしてもよい。折りたたみ可能な実験動物飼育ケージ運搬装置１００は、使用しない際にはコンパクトに収納できるというメリットを有する。
【００４０】
また、本実施形態においては、図１及び図９に示したように、実験動物飼育ケージ運搬装置１００の長辺方向に沿った１対の枠体１２２を有する支持部１２０の形態について説明したが、実験動物飼育ケージの底面を固定することのできる形状の支持部１２０であれば、適宜選択され得る。
【００４１】
また、本実施形態においては、図１に示したように、支柱１１０の略中央部に１本ずつ取り付けられた、計４本の部材からなる第一のストッパー部１３０の形態について説明したが、第一のストッパー部１３０は、実験動物飼育ケージの高さに鑑み、支柱１１０の上端と下端との間に、例えば２本ずつ取り付けられた、計８本の部材で構成されていてもよい。
【００４２】
また、本実施形態においては、図７及び図８に示したように、ハードタイプの蓋付きの実験動物飼育ケージ２１０を収容する形態について説明したが、実験動物飼育ケージ運搬装置１００にハードタイプ以外の蓋の付いた実験動物飼育ケージを収容してもよい。この場合、実験動物飼育ケージ運搬装置１００の高さは、実験動物飼育ケージの高さに合わせて設計される。
【符号の説明】
【００４３】
１００  実験動物飼育ケージ運搬装置
１１０  支柱
１２０  支持部
１２２  枠体
１３０  第一のストッパー部
１５０  短辺部材
１６０  第二のストッパー部
１６２  着脱機構
１６８  固定機構
１７０  持ち手部材
１８０  ベース部材
１８２  孔
１９０  クリップ部材
２１０  実験動物飼育ケージ
２１２  蓋
２１４  本体
２１６  突起部材
【図１】
2013252101.tif 000003
【図２】
2013252101.tif 000004
【図３】
2013252101.tif 000005
【図４】
2013252101.tif 000006
【図５】
2013252101.tif 000007
【図６】
2013252101.tif 000008
【図７】
2013252101.tif 000009
【図８】
2013252101.tif 000010
【図９】
2013252101.tif 000011
【図１０】
2013252101.tif 000012
【図１１】
2013252101.tif 000013
【図１２】
2013252101.tif 000014
【図１３】
2013252101.tif 000015
【図１４】
2013252101.tif 000016
【図１５】
2013252101.tif 000017
【図１６】
2013252101.tif 000018
【図１７】
2013252101.tif 000019